(57)【要約】【課題】甲冑の飾り体を型成形によって得る製造業者のための工夫を施した、新規のセキュリティー機能付き甲冑用飾り体を提供するものである。【解決手段】飾り体主体１を成形型で製造するときに、飾り体主体１におけるの適宜の多数個所に特定の人のみが証（自分だけの暗号）として用いる凸状（若しくは凹状）形状仕上げの符号（若しくは文字等印）２・・を、特定の人以外の人には見付け難いカムフラージュの状態および分散した配置で設けたものである。【選択図】　　　　図１
0003099476.tif 000002
【実用新案登録請求の範囲】
【請求項１】
甲冑用飾り体主体の適宜個所に特定の人のみが証として用いる符号、文字等印を、当該特定人以外の人には見付け難いカムフラージュの状態で設けて成ることを特徴するセキュリティー機能付き甲冑用飾り体。
【請求項２】
請求項１記載のセキュリティー機能付き甲冑用飾り体について、符号、文字等印の多数個を分散した配置で設けて成ることを特徴するセキュリティー機能付き甲冑用飾り体。
【考案の詳細な説明】
【０００１】
【考案が属する技術分野】
本考案は、甲冑の飾り体を型成形によって得る製造業者のための工夫を施したセキュリティー機能付き甲冑用飾り体に関するものである。
【０００２】
【従来の技術】
甲冑の飾り体の成形用型は、芸術性も高く非常に高価であるのに、これを用いて得た甲冑用飾り体のコピー品が所謂一夜にして他から出現してしまうという、経済的なダメージの受け易い問題点があった。
【０００３】
【考案が解決しようとする課題】
本考案は、上記問題点を効果的に解消できる工夫を施した新規のセキュリティー機能付き甲冑用飾り体を提供することを目的とするものである。
【０００４】
【課題を解決するための手段】
上記目的を達成するために本考案に係るセキュリティー機能付き甲冑用飾り体は、甲冑用飾り体主体の適宜個所に特定の人のみが証（自分だけの暗号）として用いる符号、文字等印を特定人以外の人には見付け難いカムフラージュの状態で設けて成るものである。
【０００５】
そして、請求項１記載のセキュリティー機能付き甲冑用飾り体について、符号、文字等印の多数個を分散した配置で設けて成るものである。
【０００６】
【実施例】
図に示す実施例は、型成形により得るときに、飾り体主体１の適宜多数個所に特定の人のみが証（自分だけの暗号）として用いる凸状（若しくは凹状）形状仕上げの符号（若しくは文字等印）２・・を、特定の人以外の人には見付け難いカムフラージュの状態および分散した配置で設けたものである。
【０００７】
上記の符号、文字等印は、飾り体主体１に有している模様３を形成する凹凸を利用することで、特定の人以外の人には見付け難い状態に、比較的簡単にカムフラージュできて、極めて好都合である。また、この符号、文字等印は、模様３等のデザインを台無しにしないようにすることがのぞましい。
【０００８】
【考案の効果】
本考案に係るセキュリティー機能付き甲冑用飾り体は、上記のように、甲冑用飾り体主体の適宜個所に特定の人のみが証として用いる符号、文字等印を特定の人以外の人には見付け難いカムフラージュの状態で設けて成るので、上記特定人がこれをもとにコピーされた甲冑用飾り体を発見した場合には、符号、文字等印を暗号として、当該特定人自身のみがコピーの甲冑用飾り体であると知ることができ、爾後の対策に役立てることができるものであって、上記問題点を解消するのに極めて有効なものであり、所期の目的を完全に達成することができるものである。
【０００９】
しかも、符号、文字等印は、その多数個を分散した配置で設けて成るので、高度なセキュリティー維持の充分な管理を可能とするという優れた著効を奏するものである。
【図面の簡単な説明】
【図１】本考案の実施例を示す正面図である。
【符号の説明】
１　飾り体主体
２　符号（若しくは文字等印）
３　模様
【図１】
0003099476.tif 000003
【手続補正書】
【提出日】平成14年10月25日(2002.10.25)
【手続補正１】
【補正対象書類名】明細書
【補正対象項目名】実用新案登録請求の範囲
【補正方法】変更
【補正の内容】
【実用新案登録請求の範囲】
【請求項１】
型成形によって得た甲冑の飾り体であって、甲冑用飾り体主体の適宜個所に特定の人のみが証として用いる符号、文字等印を、当該特定人以外の人には見付け難いカムフラージュの状態で設けて成ることを特徴するセキュリティー機能付き甲冑用飾り体。
【請求項２】
請求項１記載のセキュリティー機能付き甲冑用飾り体について、符号、文字等印の多数個を分散した配置で設けて成ることを特徴するセキュリティー機能付き甲冑用飾り体。
【手続補正書】
【提出日】平成15年4月14日(2003.4.14)
【手続補正１】
【補正対象書類名】明細書
【補正対象項目名】実用新案登録請求の範囲
【補正方法】変更
【補正の内容】
【実用新案登録請求の範囲】
【請求項１】
型成形によって得た甲冑の飾り体であって、甲冑用飾り体主体の適宜個所に特定の人のみが証として用いる凸状若しくは凹状形状仕上げの符号、文字等印を、当該特定人以外の人には見付け難いカムフラージュの状態で設けて成ることを特徴するセキュリティー機能付き甲冑用飾り体。
【請求項２】
請求項１記載のセキュリティー機能付き甲冑用飾り体について、凸状若しくは凹状形状仕上げの符号、文字等印の多数個を分散した配置で設けて成ることを特徴するセキュリティー機能付き甲冑用飾り体。
【手続補正書】
【提出日】平成15年7月14日(2003.7.14)
【手続補正１】
【補正対象書類名】明細書
【補正対象項目名】０００６
【補正方法】変更
【補正の内容】
【０００６】
【実施例】
図に示す実施例は、型成形により得るときに、飾り体主体１の適宜多数個所に特定の人のみが証（自分だけの暗号）として用いる凸状（若しくは凹状）形状仕上げの符号（若しくは暗号）２・・・を、特定の日と以外の人には見つけ難いカムフラージュの状態および分散した配置で設けたものである。
　即ち、本実施の形態にあっては、型成形により形成された金属製の飾り主体１は、葉をつけた複数本の木の枝として形成されており、このようなそれぞれの木の枝には、本件実用新案出願人である、「株式会社　鈴甲子」の社名の称呼である「スズキネ」の各構成文字、「ス」、「ズ」、「キ」および「ネ」の各文字２が、飾り主体１を構成する夫々の木の枝に隠れるように、いわゆる「隠し文字」として付されている。上記各文字は、本実施の形態にあっては、作成された飾り主体１上に刻印されることにより、凹文字として形成されているものである。
例えば、絵画において、著作者が絵画中に一般の鑑賞者には判別しにくいような手法で著作者の名前、イニシャル等を書き込む場合が多い。
　本実施の形態における「隠し文字」は、図１に示すように、このような絵画における隠し文字と同様に複数の木の枝により形成される飾り主体１内に半ば埋没するようにして「スズキネ」の各構成文字、「ス」、「ズ」、「キ」および「ネ」の各文字２が記載されているものである。
従って、一般の取引業、需要者等には、短時間で上記各文字２を判別することは難しく、仮に、第三者が本実施の形態に係る飾り主体１付きの甲冑を型取りしてコピーしたような場合には、上記「ス」、「ズ」、「キ」および「ネ」の各文字２も同様にコピーされてコピー品上に現れることから、真性の商品の販売業者、製造業者は、上記各文字の刻印の個所を予め認識しておけば、自らの販路以外の販路において、上記各文字が表わされた商品が出現した場合には、速やかに、コピー品であることを判別することができる。
　本実施の形態にあっては、上記各文字を刻設する場合を例に説明したが、上記実施の形態に限定されず、型成形の際に、飾り主体１と共に一体に形成して、凸状に形成してもよい。
【手続補正書】
【提出日】平成15年10月3日(2003.10.3)
【手続補正１】
【補正対象書類名】明細書
【補正対象項目名】実用新案登録請求の範囲
【補正方法】変更
【補正の内容】
【実用新案登録請求の範囲】
【請求項１】
型成形によって得た甲冑の飾り体であって、甲冑用飾り体主体の適宜個所には、上記甲冑の製作者を特定しうる名称が隠し文字として刻印されていることを特徴とするセキュリティー機能付き甲冑用飾り体。
【請求項２】
上記飾り体主体は、葉をつけた複数本の木の枝として形成され、上記隠し文字が上記木の枝に刻印されていることを特徴とする請求項１記載のセキュリティー機能付き甲冑用飾り体。